(57)【特許請求の範囲】
【請求項１】
プラグ接続部、
前記プラグ接続部に供給される電流または電力を検出するセンサ、および、
前記センサが検出した検出値を出力する出力部、を有する電源接続機器と、
前記検出値を前記電源接続機器から取得する取得部、および
前記プラグ接続部に接続された電気機器の二次電池の劣化判定情報を記憶する記憶部、
前記電源接続機器から取得した検出値が変化しない状態が一定時間継続した場合、前記電源接続機器から取得した検出値と前記劣化判定情報との比較結果に基づいて、前記プラグ接続部に接続された前記電気機器の前記二次電池の劣化状態を判定する判定部、を有する情報処理装置と、
を備える二次電池劣化検出システム。
【請求項２】
前記劣化判定情報は、劣化が発生していない状態における前記二次電池が満充電の場合において前記プラグ接続部に供給される電流又は電力の値である、請求項１に記載の二次電池劣化検出システム。
【請求項３】
前記情報処理装置の前記判定部は、前記電源接続機器から取得した検出値と、劣化が発生していない状態における前記二次電池が満充電の場合において前記プラグ接続部に供給される電流又は電力の値との差分値を算出し、前記差分値が所定範囲に含まれない場合、前記プラグ接続部に接続された前記電気機器の二次電池が劣化していると判定する、請求項１又は２に記載の二次電池劣化検出システム。
【請求項４】
前記電源接続機器は、複数の前記プラグ接続部及び複数の前記センサを有し、
前記電源接続機器の前記出力部は、複数の前記プラグ接続部が検出した検出値を複数の前記プラグ接続部にそれぞれ対応付けて出力し、
前記情報処理装置の前記取得部は、複数の前記プラグ接続部にそれぞれ対応付けた検出値を前記電源接続機器から取得し、
前記情報処理装置の前記判定部は、前記電源接続機器から取得した複数の検出値と前記劣化判定情報との比較結果に基づいて、前記プラグ接続部のそれぞれに接続された前記電気機器の二次電池の劣化状態を判定する、請求項１から３の何れか一項に記載の二次電池劣化検出システム。
【請求項５】
プラグ接続部と、
前記プラグ接続部に供給される電流または電力を検出するセンサと、
前記プラグ接続部に接続された電気機器の二次電池の劣化判定情報を記憶する記憶部と、
前記センサが検出した検出値が変化しない状態が一定時間継続した場合、前記センサが検出した検出値と前記劣化判定情報との比較結果に基づいて、前記プラグ接続部に接続された前記電気機器の前記二次電池の劣化を判定する判定部と、を備える電源接続機器。
【請求項６】
プラグ接続部に供給される電流または電力を検出するセンサ、および、前記センサが検出した検出値を出力する出力部、を有する電源接続機器から、前記検出値を取得する取得部と、
前記電源接続機器から取得した検出値が変化しない状態が一定時間継続した場合、前記電源接続機器から取得した検出値と、前記プラグ接続部に接続された電気機器の二次電池の劣化判定情報との比較結果に基づいて、前記プラグ接続部に接続された前記電気機器の前記二次電池の劣化状態を判定する判定部と、
を備える情報処理装置。
【請求項７】
コンピュータが、
プラグ接続部に供給される電流または電力を検出するセンサ、および、前記センサが検出した検出値を出力する出力部、を有する電源接続機器から、前記検出値を取得する取得ステップと、
前記電源接続機器から取得した検出値が変化しない状態が一定時間継続した場合、前記電源接続機器から取得した検出値と、前記プラグ接続部に接続された電気機器の二次電池の劣化判定情報との比較結果に基づいて、前記プラグ接続部に接続された前記電気機器の前記二次電池の劣化状態を判定する判定ステップと、
を実行する二次電池劣化検出方法。
【請求項８】
コンピュータに、
プラグ接続部に供給される電流または電力を検出するセンサ、および、前記センサが検出した検出値を出力する出力部、を有する電源接続機器から、前記検出値を取得する取得ステップと、
前記電源接続機器から取得した検出値が変化しない状態が一定時間継続した場合、前記電源接続機器から取得した検出値と、前記プラグ接続部に接続された電気機器の二次電池の劣化判定情報との比較結果に基づいて、前記プラグ接続部に接続された前記電気機器の前記二次電池の劣化状態を判定する判定ステップと、
を実行させるための二次電池劣化検出プログラム。
【発明の詳細な説明】
【技術分野】
【０００１】
本発明は、二次電池の劣化検出技術に関する。
【背景技術】
【０００２】
近年、携帯電話やノートパソコンをはじめ、多くの電気機器にバッテリ等の二次電池が搭載されるようになった。二次電池は、使用状態により劣化の状況が大きく異なるため、時間経過のみで二次電池の劣化を判断することができない。二次電池の製作メーカであれば、製品テストのための機器が存在するため、二次電池が劣化しているか否かを判断することが容易である。
【先行技術文献】
【特許文献】
【０００３】
【特許文献１】特許第３１８８７４０号公報
【特許文献２】特許第３３７００４７号公報
【特許文献３】特公平６−１００６４１号公報
【特許文献４】特開平８−２５４５７３号公報
【特許文献５】特開平９−２３６６４１号公報
【特許文献６】特開２００４−３０１７８２号公報
【特許文献７】特開２００８−８３０２２号公報
【特許文献５】特開２００９−２１０４９４号公報
【発明の概要】
【発明が解決しようとする課題】
【０００４】
しかし、二次電池は、二次電池を搭載する電気機器に応じて様々な種類が存在するため、一般のユーザが個々の機器を用意することは困難である。二次電池を搭載した電気機器のメリットは、電源のない場所で電気機器を利用することができることであるが、二次電池の劣化を知らずにユーザが電気機器を使用し続けると、以下のことが問題となる。（１）電気機器の使用時間が短くなる。（２）電気機器に電源を接続していないと、電気機器を起動できなくなる。（３）ノート型のパーソナルコンピュータ等が突然電力切れになって作業中の作業成果を失ったり、ハードディスク内のデータを失ったり、コンピュータが故障したりする。そのため、ユーザは、二次電池の劣化を知らずに電気機器を使用し続けると非常に不便な状況に陥る。
【０００５】
本件は、二次電池や二次電池を搭載する電気機器に対して変更を加えずに、二次電池の劣化を検出する技術を提供することを目的とする。
【課題を解決するための手段】
【０００６】
本件の一観点による二次電池劣化検出システムは、
プラグ接続部、
前記プラグ接続部に供給される電流または電力を検出するセンサ、および、前記センサが検出した検出値を出力する出力部、を有する電源接続機器と、
前記検出値を前記電源接続機器から取得する取得部、および
前記プラグ接続部に接続された電気機器の二次電池の劣化判定情報を記憶する記憶部、
前記電源接続機器から取得した検出値と前記劣化判定情報との比較結果に基づいて、前記プラグ接続部に接続された前記電気機器の前記二次電池の劣化状態を判定する判定部、を有する情報処理装置と、を備える。
【発明の効果】
【０００７】
本件によれば、二次電池や二次電池を搭載する電気機器に対して変更を加えずに、二次電池の劣化を検出することができる。
【図面の簡単な説明】
【０００８】
【図１】二次電池の劣化検出システムの概略構成図である。
【図２】電源接続機器１の外観図の例である。
【図３】電源接続機器１内の接続図の例である。
【図４】電源接続機器１及び管理装置３の信号処理に関連するハードウェアの構成を例示する図である。
【図５】管理装置３の機能ブロック図の例である。
【図６】本システムによる消費電力値の収集処理の例を示す図である。
【図７】収集時刻、消費電力、差分値及び状態フラグの各フィールドを有するテーブルの例を示す図である。
【図８】図８の（Ａ）は、システム設定値テーブル３２０の構成例を示す図である。図８の（Ｂ）は、ユーザ情報テーブル３２１の構成例を示す図である。
【図９】図９の（Ａ）は、開始時刻テーブル３２２の構成例を示す図である。図９の（Ｂ）は、消費電力テーブル３２３の構成例を示す図である。図９の（Ｃ）は、状態フラグテーブル３２４の構成例を示す図である。
【図１０】図１０の（Ａ）及び（Ｂ）は、状態管理テーブル３２５の構成例を示す図である。
【図１１】図６に示した収集時刻及び消費電力値に基づいて、状態管理テーブル３２５の各フィールドに数値情報を格納した場合の格納例を示す図である。
【図１２】最小消費電力テーブル３２６の構成例を示す図である。
【図１３】管理装置３による二次電池の劣化検出処理のフローチャートである。
【図１４】管理装置３による二次電池の劣化検出処理のフローチャートである。
【図１５】ユーザ情報の登録の手続きのフローチャートである。
【図１６】充電完了閾値決定処理のフローチャートである。
【図１７】消費電力収集処理のフローチャートである。
【図１８】状態フラグテーブル処理のフローチャートである。
【図１９】状態管理テーブル処理のフローチャートである。
【図２０】最小消費電力テーブル処理のフローチャートである。
【図２１】二次電池品質管理処理のフローチャートである。
【図２２】実施例２に係る電源接続機器１Ａの外観図の例である。
【図２３】実施例２に係る電源接続機器１Ａのハードウェアの構成を例示する図である。
【発明を実施するための形態】
【０００９】
以下、図面を参照して、実施形態に係る二次電池の劣化検出システムについて説明する。以下の実施形態の構成は例示であり、本劣化検出システムは実施形態の構成には限定されない。
【実施例１】
【００１０】
以下、図１から図２１の図面に基づいて、実施例１に係る二次電池の劣化検出システムを説明する。
【００１１】
＜システム構成＞
図１に、実施例１に係る二次電池の劣化検出システムの概略構成図を示す。図１に示す二次電池の劣化検出システム（以下、本システムと表記する）では、電源接続機器１と、
電源接続機器１に接続される電気機器２Ａ、２Ｂ及び２Ｃと、電源接続機器１のコンセントＣ１に接続された電気機器２Ａ、２Ｂ及び２Ｃで消費される電力値を収集する管理装置３と、を有する。電源接続機器１と管理装置３とは、ネットワーク４を介して接続されている。図１では、管理装置３には、１つの電源接続機器１が接続されている例を示しているが、電源接続機器１は複数であってもよい。すなわち、管理装置３は、複数の電源接続機器１と接続され、複数の電源接続機器１を管理してもよい。更に、図１に示す本システムでは、ネットワーク４を介して管理装置３を管理するための管理者端末５と、ネットワーク４を介して管理装置３及び管理者端末５に接続されるユーザ端末６と、が含まれている。管理装置３が情報処理装置の一例である。
【００１２】
電源接続機器１は、電気機器２Ａ、２Ｂ及び２Ｃに電力を供給するコンセントＣ１を配置した機器である。図１に示す例では、電源接続機器１には、４つのコンセントＣ１が配置されているが、コンセントＣ１の数がこれに限定されるものではない。また、以下、電気機器２Ａ、２Ｂ及び２Ｃを総称する場合には、電気機器２と表記する。コンセントＣ１がプラグ接続部の一例である。
【００１３】
後述するように、電源接続機器１には、電流センサが内蔵され、個々のコンセントＣ１から供給される電流値を検出する。この電流値は、管理装置３で電力値に変換され、データベースのテーブルに格納される。ただし、電源接続機器１において、電力値を検出するようにしてもよい。例えば、電源接続機器１が電流センサとともに、電圧センサを内蔵するようにすればよい。また、電源接続機器１に電圧パラメータを設定できる機能を設け、設定された電圧パラメータにしたがって電流値を電力値に換算する処理部を設けてもよい。このように、電気機器２に供給される電圧が特定できる場合には、電流値は、電力値と同様に見なすことができるため、以下の実施例では、電流値と電力値とを同様に取り扱う。したがって、以下の実施例において、電力値は、電流値に置き換えることが可能である。
【００１４】
電気機器２は、二次電池を搭載する機器であり、例えば、電気カミソリ、ノート型（ラップトップ型）のパーソナルコンピュータ（ＰＣ）、携帯情報端末、携帯電話、スマートフォン、電子ブック、携帯型ゲーム機、携帯型音楽プレーヤー、携帯型ビデオプレーヤー、携帯型テレビジョン受信器、携帯型ラジオ等である。なお、電源接続機器１には、二次電池を搭載していない機器も接続される場合がある。
【００１５】
ネットワーク４は、例えば、インターネット、ローカルエリアネットワーク（ＬＡＮ）、電話線、専用線、光通信網等の有線又は無線による通信回線である。管理装置３は、例えば、インターネット上のコンピュータ群である、クラウドの一部であってもよい。
【００１６】
＜ハードウェアの構成＞
図２は、実施例１に係る電源接続機器１の外観図の例である。電源接続機器１として、例えば、スマート電源タップを例示できる。ただし、本システムにおいて、電源接続機器１がスマート電源タップに限定されるわけではなく、コンセントＣ１ごとに供給される電流、あるいは、電力が検出可能なものであれば、どのようなものでもよい。
【００１７】
図２のように、電源接続機器１は、外観上、筐体と、筐体の一方の面に配列された複数のコンセントＣ１と、筐体外部の商用電源を筐体内の各コンセントＣ１に接続する電源ケーブルＡＣ１と、筐体内で検出された電流値を筐体外の信号ケーブルＵＢ１に接続するアダプタＵＡ１とを有している。
【００１８】
コンセントＣ１は、例えば、電気機器２に接続されている電源ケーブルのプラグを挿入する１対のプラグ挿入口と、プラグのアース端子を受け入れるアース端子口とを有する。
筐体内には、電力ケーブルＡＣ１から分岐し、各コンセントＣ１に供給する導電路と、分岐したそれぞれの導電路に接続される電極を有する。電極は、それぞれのプラグ挿入口内に埋め込まれており、電源ケーブルのプラグがコンセントＣ１に挿入されたときにプラグのコンタクトに接触し、通電可能となる。
【００１９】
信号ケーブルＵＢ１は、例えば、ＬＡＮケーブルであり、アダプタＵＡ１は、ＬＡＮコネクタを装着するアダプタである。ただし、信号ケーブルＵＢ１及びアダプタＵＡ１の種類に特に限定がある訳ではない。
【００２０】
図３に、電源接続機器１内の接続図を例示する。図３のように、電源接続機器１は、筐体内に、図２の電源ケーブルＡＣ１に接続される導電路ＡＣ２と、導電路Ａ２から分岐した分岐路ＡＣ３と、分岐路ＡＣ３の先端部に接続される複数のコンタクトＣＴ１とを有する。
【００２１】
コンタクトＣＴ１は、図２に示したコンセントＣ１に挿入されるプラグのコンタクトと接触し、通電可能となる。さらに、電源接続機器１は、それぞれの分岐路ＡＣ３を流れる電流を検出する複数の電流センサＣＳ１を有する。図３では、分岐路ＡＣ３、コンタクトＣＴ１、電流センサＣＳ１は、４組み示されている。
【００２２】
電流センサＣＳ１は、例えば、分岐路ＡＣ３の周囲に発生する磁界を検出する磁気センサ、例えば、ホール素子を含む。例えば、分岐路ＡＣ３の周囲に、磁性体で閉磁路を形成し、磁路の一部にホール素子をはめ込むようにすればよい。
【００２３】
さらに、電源接続機器１は、電流センサＣＳ１の検出信号を読みとり、処理する通信制御部１０を有する。４つの電流センサＣＳ１の検出信号は、それぞれ通信制御部１０に入力される。通信制御部１０は、電流センサＣＳ１のそれぞれの検出値を、アダプタＵＡ１に出力する。
【００２４】
なお、電源接続機器１は、電流センサＣＳ１の検出信号を読みとり、処理する信号制御部を有してもよい。そして、４つの電流センサＣＳ１の検出信号を、それぞれ信号制御部に入力してもよい。信号制御部は、電流センサＣＳ１のそれぞれの検出値に、電流センサＣＳ１が検出する電流の供給先となるコンセントＣ１の識別情報を対応付けて、アダプタＵＡ１に出力してもよい。アダプタＵＡ１に接続される装置は、コンセントＣ１の識別情報に対応付けて、そのコンセントＣ１で使用されている電力値を取得可能となる。
【００２５】
図４は、電源接続機器１及び管理装置３の信号処理に関連するハードウェアの構成を例示する図である。すなわち、図４では、電気機器２に電力を供給する導電路は除外し、電源接続機器１の電流センサＣＳ１で検出される検出値を処理するシステムのハードウェア構成が例示されている。
【００２６】
電源接続機器１は、通信制御部１０及びＡＤ（Analog/Digital）変換部１１を有する。電源接続機器１内の通信制御部１０は、それぞれの電流センサＣＳ１での検出値を、アダプタＵＡ１に出力する。電源接続機器１内のＡＤ変換部１１は、電流センサＣＳ１の検出値をアナログ信号からデジタル信号に変換し、通信制御部１０に引き渡す。
【００２７】
通信制御部１０は、管理装置３との間で通信を行うインターフェースであり、ＡＤ変換部１１から引き渡された信号を、例えば、アダプタＵＡ１を介して管理装置３に引き渡す。なお、通信制御部１０が出力する検出値は、例えば、所定の順序で４つの検出値を配列したベクトルデータとしてもよい。したがって、電流センサＣＳ１のそれぞれの検出値は、並び順によって、どのコンセントＣ１の検出値であるかが特定されることになる。なお
、電源接続機器１が、電流センサＣＳ１の検出信号を読みとり、処理する信号制御部を有する場合、４つの検出値に、それぞれコンセントＣ１を識別する識別情報を付与して出力してもよい。したがって、電流センサＣＳ１のそれぞれの検出値は、付与された識別情報によって、どのコンセントＣ１の検出値であるかが特定されることになる。
【００２８】
また、電源接続機器１内に、コンセントＣ１ごとに通信制御部１０を設けるようにしてもよい。コンセントＣ１ごとに設けられた通信制御部１０が検出値を出力することによって、どのコンセントＣ１の検出値であるかを特定することが可能となる。通信制御部１０は、電流センサＣＳ１での検出値を電力値に換算し、アダプタＵＡ１に出力してもよい。通信制御部１０は、例えば、ＬＡＮ基板、ＮＩＣ（Network Interface Card）である。ただし、通信制御部１０は、無線ＬＡＮのインターフェース、Bluetooth（登録商標）のイ
ンターフェース等であってもよい。
【００２９】
管理装置３は、ＣＰＵ３１、メモリ３２、通信制御部３３、ドライブ装置３４、ＨＤＤ（ハードディスク駆動装置）３５、表示制御部３６、タイマ３９を有する。さらに、管理装置３は、表示装置３７、入力装置３８等を接続可能である。
【００３０】
ＣＰＵ３１は、メモリ３２に実行可能に展開された管理プログラムを実行し、管理装置３の機能を提供する。メモリ３２は、主記憶装置とも呼ばれ、例えば、ＣＰＵ３１が実行する管理プログラム、あるいは、電源接続機器１の各電流センサＣＳ１の検出値等、各検出値から算出した電力値、その他の管理データ等を記憶する。メモリ３２は、例えば、揮発性のＲＡＭ、不揮発性のＲＯＭである。
【００３１】
通信制御部３３は、電源接続機器１の通信制御部１０と通信可能なインターフェースである。通信制御部３３は、電源接続機器１で検出された検出値を電源接続機器１の通信制御部１０から受け取り、メモリ３２に記憶する。
【００３２】
ドライブ装置３４は、着脱可能な記憶媒体の入出力装置であり、例えば、フラッシュメモリカードの入出力装置、ＵＳＢメモリを接続するＵＳＢのアダプタ等である。ただし、ドライブ装置３４は、例えば、ＣＤ（Compact Disc）、ＤＶＤ（Digital Versatile Disk）、ブルーレイディスク（Blu-ray Disc）等のディスク媒体の駆動装置であってもよい。ドライブ装置３４は、着脱可能な記憶媒体から管理プログラムを読み出し、ＨＤＤ３５に格納する。
【００３３】
ＨＤＤ３５は、外部記憶装置ということもできる。外部記憶装置としては、ＳＳＤ（Solid State Drive）等であってもよい。ＨＤＤ３５は、ドライブ装置３４との間で、デー
タを授受する。例えば、ＨＤＤ３５は、ドライブ装置３４からインストールされる管理プログラム等を記憶する。また、ＨＤＤ３５は、管理プログラムを読み出し、メモリ３２に引き渡す。また、ＨＤＤ３５は、電源接続機器１で検出された検出値、その他の管理データをメモリ４２から受け取り、不揮発性データとして保持する。表示制御部３６は、表示装置３７の制御回路を有し、ＣＰＵ３１が処理した結果のデータ等を表示装置３７に表示する。
【００３４】
表示装置３７は、例えば、液晶ディスプレイ、エレクトロルミネッセンスパネル、プラズマディスプレイパネル、ＣＲＴ（Cathode Ray Tube）等である。入力装置３８は、例えば、キーボード、ポインティングデバイス等を含む。ポインティングデバイスとしては、マウス、タッチパネル等を例示できる。なお、表示装置３７、入力装置３８を管理装置３に接続する代わりに、図１に示した管理者端末５の表示装置及び入力装置を用いて、管理装置３の表示機能、入力機能を提供してもよい。タイマ３９は、現在の時刻を管理し、所定時刻からの経過時間を測定する。
【００３５】
なお、管理者端末５は、例えば、ＣＰＵ、主記憶装置、外部記憶装置、通信装置、着脱可能な記憶媒体の駆動装置等を含むコンピュータである。さらに、管理者端末５は、キーボード、ポインティングデバイス等の入力装置、表示装置等を有する。管理者端末５は、例えば、パーソナルコンピュータ等である。ただし、管理者端末５は、携帯情報端末、携帯電話、スマートフォン、電子ブック等であってもよい。
【００３６】
図５に、管理装置３の機能ブロック図を例示する。管理装置３は、電力収集部３１１、制御部３１２及び通信部３１３の各機能部を有し、本システムの検出処理機能を提供する。電力収集部３１１は、例えば、電気機器２の消費電力値を収集し、管理装置３の外部記憶装置に記憶されている各種のテーブルに、収集した消費電力値を収集時刻とともに格納する。制御部３１２は、例えば、電気機器２が有する二次電池の劣化状態を判定する等の各種の判定処理や決定処理を行う。通信部３１３は、例えば、ユーザ端末６に電気機器２が有する二次電池の劣化状態に関するメッセージを送る。以上の各機能部は、ＣＰＵ３１がメモリ３２上に実行可能に展開されたコンピュータプログラムを実行することで提供される。
【００３７】
＜システムが提供する機能の例＞
図６に、本システムによる消費電力値の収集処理の例を示す。以下は、管理装置３によって行われる消費電力値の収集処理の一例である。以下の例では、電気機器２の一例であるノート型ＰＣのプラグが、電源接続機器１のコンセントＣ１に接続されているものとして説明する。
【００３８】
図７に、収集時刻、消費電力、差分値及び状態フラグの各フィールドを有するテーブルの例を示す。図７に示すテーブルの収集時刻のフィールドには、電気機器２の消費電力値を電力収集部３１１が収集した時刻が格納されている。電力収集部３１１は、一定の周期（図６及び図７では、１０分周期）で、電気機器２の消費電力値を収集してもよい。例えば、１０分の周期の場合、電力収集部３１１は、１０分間の平均電力値を収集してもよい。ただし、平均電力値の他に、最大値、最小値等を用いてもよい。また、例えば、電力収集部３１１は、収集時刻の各始点での電力値を収集してもよい。
【００３９】
図７に示すテーブルの消費電力のフィールドには、電力収集部３１１が収集した電気機器２の消費電力値が格納されている。電気機器２の消費電力には、電気機器２の操作、動作、処理等のために消費される電力の他、電気機器２が有する二次電池に蓄積される電力が含まれる。
【００４０】
図７に示すテーブルの差分値のフィールドには、消費電力値の前回値から消費電力値の今回値を引いた値が格納されている。ここで、消費電力値の前回値及び消費電力値の今回値について説明する。上述したように、電力収集部３１１は、一定の周期で、電気機器２の消費電力値を収集している。
【００４１】
例えば、（２）収集時刻１２：１０を基準とした場合、（２）収集時刻１２：１０が、収集時刻の今回値となり、（１）収集時刻１２：００が、収集時刻の前回値となる。そして、（２）収集時刻１２：１０で収集された消費電力値が、消費電力値の今回値となり、（１）収集時刻１２：００で収集された消費電力値が、消費電力値の前回値となる。
【００４２】
また、例えば、（３）収集時刻１２：２０を基準とした場合、（３）収集時刻１２：２０が、収集時刻の今回値となり、（２）収集時刻１２：１０が、収集時刻の前回値となり、（１）収集時刻１２：００が、収集時刻の前々回値となる。そして、（３）収集時刻１２：２０で収集された消費電力値が、消費電力値の今回値となり、（２）収集時刻１２：
１０で収集された消費電力値が、消費電力値の前回値となり、（１）収集時刻１２：００で収集された消費電力値が、消費電力値の前々回値となる。
【００４３】
図７に示すテーブルの状態フラグのフィールドには、消費電力値の今回値について、消費電力値の前回値と比較した場合の変化の状態を示す情報が格納されている。消費電力値の今回値が、消費電力値の前回値に対して変化がない場合、状態フラグのフィールドには無変化を示す情報が格納される。消費電力値の今回値が、消費電力値の前回値と比較して上昇している場合、状態フラグのフィールドには上昇（ＵＰ）を示す情報が格納される。消費電力値の今回値が、消費電力値の前回値と比較して下降している場合、状態フラグのフィールドには下降（ＤＯＷＮ）を示す情報が格納される。
【００４４】
図７に示すように、（５）収集時刻１２：４０から（７）収集時刻１３：００の状態フラグの各フィールドには、無変化を示す情報が格納されている。これは、電気機器２における処理の実行中により、一定の消費電力で電気機器２が運転されているためである。また、図７に示すように、（９）収集時刻１３：２０から（１０）収集時刻１３：４０の状態フラグの各フィールドには、無変化を示す情報が格納されている。これは、電気機器２が処理待ちとなった後、シャットダウンが実行されるが、電気機器２の二次電池の充電が行われているため、一定の消費電力値になっている。
【００４５】
更に、図７に示すように、（１１）収集時刻１４：２０から（１３）収集時刻１４：５０の状態フラグ、の各フィールドには、無変化を示す情報が格納されている。これは、電気機器２が有する二次電池の充電が完了したためである。図７の（１１）収集時刻１４：２０から（１３）収集時刻１４：５０の消費電力値が０（Ｗ）にならないのは、電気機器２が有する二次電池の充電完了後も電気機器２に給電されているためである。例えば、電気機器２がシャットダウン後も一定の待機電力を消費したり、電気機器２が有する二次電池の充電が完了しても、二次電池の充電の状況を表示する表示器の点灯の際に電力が使用されるため、二次電池の充電完了後も一定の消費電力となる。
【００４６】
本システムでは、電気機器２の消費電力が一定になる状態を検知するとともに、電気機器２が有する二次電池の充電が完了した状態を検知する。そして、本システムでは、電気機器２が有する二次電池の充電が完了した状態における電気機器２の消費電力値（以下、電気機器２の満充電消費電力値と表記する）と、最小消費電力値とを比較することにより、電気機器２が有する二次電池が劣化しているか否かを判定する。最小消費電力値は、二次電池が経年劣化していない場合における電気機器２の満充電消費電力値である。最小消費電力値は、例えば、工場出荷時における電気機器２の満充電消費電力値、工場出荷後に初めて電気機器２が使用された場合における電気機器２の満充電消費電力値、電気機器２を使い始めた段階における電気機器２の満充電消費電力値である。ここで、二次電池の劣化とは、電気機器２を使い始めた段階よりも電気機器２の使用可能時間が多少短くなった程度ではなく、電気機器２の使用可能時間が極端に短くなったり、電気機器２に電源を接続していないと電気機器２が起動しなかったりする場合をいう。
【００４７】
本システムでは、電気機器２の満充電消費電力値と、最小消費電力値とを比較し、電気機器２の満充電消費電力値が、最小消費電力値と略等しい状態を一定期間継続する場合には、電気機器２が有する二次電池は劣化していないと判定する。一方、本システムでは、電気機器２の満充電消費電力値と、最小消費電力値とを比較し、電気機器２の満充電消費電力値と、最小消費電力値とが異なる場合には、電気機器２が有する二次電池は劣化していると判定する。
【００４８】
＜テーブルの構成＞
以下、管理装置３がデータを入出力するテーブルの構成を例示する。各テーブルは、管
理装置３の外部記憶装置に記憶される。
【００４９】
図８の（Ａ）は、システム設定値テーブル３２０の構成例である。システム設定値テーブル３２０は、収集時間、閾値決定時間、最大時間、最低経過時間、消費電力値のラウンド幅の各フィールドを有する。
【００５０】
収集時間は、電源接続機器１の各コンセントＣ１に接続された電気機器２で消費される電力を一定の周期で収集する際の時間を定義する。収集時間を、例えば、１０分、５分又は１分等に設定してもよい。閾値決定時間は、最小消費電力値を決定するための時間を定義する。閾値決定時間を、例えば、２４時間、１２時間、１日又は２日等に設定してもよい。最大時間は、電気機器２が有する二次電池の状態を監視するための時間を定義する。最大時間を、例えば、２４時間、３日、７日等に設定してもよい。最低経過時間は、電気機器２が有する二次電池の充電が完了したか否かを判定するための時間を定義する。最低経過時間を、例えば、３０分、６０分、１２０分等に設定してもよい。
【００５１】
消費電力値のラウンド幅は、一方の消費電力値と他方の消費電力値とを比較する場合における同一値の許容度を定義する。すなわち、一方の消費電力値と他方の消費電力値とが完全に一致していなくとも、一方の消費電力値と他方の消費電力値との差分値が所定範囲であれば、一方の消費電力値と他方の消費電力値とは同一値であるとしてもよい。消費電力値のラウンド幅として、例えば、±１０％を設定してもよいし、±５％を設定してもよい。一方の消費電力値と他方の消費電力値とを比較する際に、一方の消費電力値に対して消費電力値のラウンド幅を設定してもよいし、両方の消費電力値に対して消費電力値のラウンド幅を設定してもよい。
【００５２】
図８の（Ｂ）は、ユーザ情報テーブル３２１の構成例である。ユーザ情報テーブル３２１は、電源接続機器１の機器ＩＤ、コンセントＣ１のコンセントＩＤ、電気機器２の名称（対象機器名称）、収集時間、閾値決定時間、最大時間、最低経過時間、消費電力値のラウンド幅の各フィールドを有する。電源接続機器１の機器ＩＤ、コンセントＣ１のコンセントＩＤ及び電気機器２の名称は、ユーザから提供されるユーザ情報である。機器ＩＤは、電源接続機器１を一意に識別するための識別番号である。コンセントＩＤは、コンセントＣ１を一意に識別するための識別番号である。閾値決定時間、最大時間、最低経過時間及び消費電力値のラウンド幅については、システム設定値テーブル３２０と同様である。
【００５３】
図９の（Ａ）は、開始時刻テーブル３２２の構成例である。開始時刻テーブル３２２の開始時刻のフィールドには、収集時間の開始時刻（第１時刻）、閾値決定時間及び最大時間の開始時刻（第２時刻）を格納する。
【００５４】
図９の（Ｂ）は、消費電力テーブル３２３の構成例である。消費電力テーブル３２３は、収集時刻及び消費電力の各フィールドを有しており、収集時刻及び消費電力の各フィールドには、前回値及び今回値の欄がそれぞれ設けられている。図９の（Ｂ）に示す消費電力テーブル３２３は、消費電力値を収集する毎に更新され、更新前の今回値の欄に格納されていた情報が、更新後の前回値の欄に格納される。すなわち、消費電力テーブル３２３の収集時刻のフィールドにおける前回値の欄には更新前の収集時刻の今回値（Ｔｎ）が格納されて前回値（Ｔｌ）となり、消費電力テーブル３２３の消費電力のフィールドにおける前回値の欄には更新前の消費電力値の今回値（Ｐｎ）が格納されて前回値（Ｐｌ）となる。消費電力テーブル３２３の収集時刻のフィールドにおける今回値の欄には現在時刻（Ｔｎ）が格納され、消費電力テーブル３２３の消費電力のフィールドにおける今回値の欄には、現在時刻（Ｔｎ）で収集された消費電力値（Ｐｎ）が格納される。
【００５５】
図９の（Ｃ）は、状態フラグテーブル３２４の構成例である。状態フラグテーブル３２
４は、収集時刻、消費電力、差分値及び状態フラグの各フィールドを有しており、収集時刻、消費電力、差分値及び状態フラグの各フィールドには、前回値及び今回値の欄がそれぞれ設けられている。状態フラグテーブル３２４の収集時刻及び消費電力の各フィールドは、消費電力テーブル３２３と同様である。
【００５６】
状態フラグテーブル３２４は消費電力値を収集する毎に更新され、更新前の今回値の欄に格納されていた情報が、更新後の前回値の欄に格納される。すなわち、状態フラグテーブル３２４の収集時刻の前回値フィールドには更新前の今回値（Ｔｎ）が格納されて前回値（Ｔｌ）となり、消費電力の前回値フィールドには更新前の今回値（Ｐｎ）が格納されて前回値（Ｐｌ）となり、差分値の前回値フィールドには更新前の今回値（Ｐｄ２）が格納されて前回値（Ｐｄ１）となり、状態フラグの前回値フィールドには更新前の今回値（Ｆｎ）が格納されて前回値（Ｆｌ）となる。
【００５７】
状態フラグテーブル３２４の差分値フィールドにおける今回値には、消費電力値の前回値から消費電力値の今回値を減算した差分値（Ｐｄ２）が格納される。状態フラグテーブル３２４の状態フラグフィールドにおける今回値の欄には、消費電力値の前回値と消費電力値の今回値とを比較した場合において、消費電力値の今回値の変化を示す状態フラグ（Ｆｎ）が格納される。状態フラグ（Ｆｎ）は、ＵＰフラグ、ＤＯＷＮフラグ又は無変化フラグのいずれかである。
【００５８】
図１０の（Ａ）及び（Ｂ）は、状態管理テーブル３２５の構成例である。状態管理テーブル３２５は、開始時刻、終了時刻、経過時間、開始消費電力、終了消費電力及び状態フラグの各フィールドを有している。状態管理テーブル３２５における開始時刻、終了時刻、経過時間、開始消費電力、終了消費電力及び状態フラグの各フィールドには、前回値及び今回値の欄がそれぞれ設けられている。状態フラグの前回値、及び、状態フラグの今回値については、既に説明した。図１０の（Ａ）に示す状態管理テーブル３２５は、状態フラグの前回値と、状態フラグの今回値とが同じ場合の格納例を示しており、図１０の（Ｂ）に示す状態管理テーブル３２５は、状態フラグの前回値と、状態フラグの今回値とが異なる場合の格納例を示している。図１０の（Ａ）及び（Ｂ）に示す状態管理テーブル３２５は、消費電力値を収集する毎に更新され、更新前の今回値の欄に格納されていた情報が、更新後の前回値の欄に格納される。
【００５９】
図１０の（Ａ）に示す状態管理テーブル３２５の開始時刻のフィールドの前回値の欄には、更新前の開始時刻の今回値がコピーされて格納される。更新前の開始時刻の今回値は、消費電力値が同じ傾向状態を継続する場合において、その傾向状態が始まった時刻（Ｔｓ）である。図１０の（Ａ）に示す状態管理テーブル３２５の開始時刻のフィールドの今回値の欄には、消費電力値が同じ傾向状態を継続する場合において、その傾向状態が始まった時刻（Ｔｓ）が格納される。消費電力値が同じ傾向状態を継続する場合、状態管理テーブル３２５の開始時刻のフィールドにおける前回値と今回値とは同じ値となる。消費電力値が違う傾向状態に変化した場合は、状態管理テーブル３２５の開始時刻のフィールドにおける今回値は、状態管理テーブル３２５の終了時刻のフィールドにおける前回値、すなわち前回の収集時刻（ＴＩ）がコピーされて格納される。
【００６０】
図１０の（Ａ）に示す状態管理テーブル３２５の終了時刻のフィールドの前回値の欄には、更新前の終了時刻の今回値がコピーされて格納される。図１０の（Ａ）に示す状態管理テーブル３２５の終了時刻のフィールドの今回値の欄には、今回の収集時刻である現在時刻（Ｔｎ）が格納される。
【００６１】
図１０の（Ａ）に示す状態管理テーブル３２５の経過時間のフィールドの前回値の欄には、更新前の経過時間がコピーされて格納される。図１０の（Ａ）に示す状態管理テーブ
ル３２５の経過時間のフィールドの今回値の欄には、終了時刻（Ｔｎ）から開始時刻（Ｔｓ）を減算した時間（Ｔｎ−Ｔｓ）が格納される。
【００６２】
図１０の（Ａ）に示す状態管理テーブル３２５の開始消費電力のフィールドの前回値の欄には、更新前の開始消費電力値の今回値がコピーされて格納される。図１０の（Ａ）に示す状態管理テーブル３２５の開始消費電力のフィールドの今回値の欄には、消費電力値が同じ傾向状態を継続する場合において、その傾向状態が始まった時刻の消費電力値（Ｐｓ）が格納される。消費電力値が同じ傾向状態を継続する場合、状態管理テーブル３２５の開始消費電力のフィールドには、前回値と同じ値が今回値に格納される。
【００６３】
図１０の（Ａ）に示す状態管理テーブル３２５の終了消費電力のフィールドの前回値の欄には、更新前の終了消費電力値の今回値がコピーされて格納される。状態管理テーブル３２５の終了消費電力のフィールドにおける今回値の欄には、現在時刻（Ｔｎ）で収集された消費電力値（Ｐｎ）が格納される。図１０の（Ａ）のＰｌは、現在時刻（Ｔｎ）から収集時間を減算した時刻（Ｔｌ＝Ｔｎ−収集時間）で収集された消費電力値である。
【００６４】
図１０の（Ａ）に示す状態管理テーブル３２５の状態フラグのフィールドの前回値の欄には、更新前の状態フラグの今回値がコピーされて格納される。図１０の（Ａ）に示す状態管理テーブル３２５の状態フラグのフィールドの今回値の欄には、消費電力値が同じ傾向状態を継続する場合における状態フラグの今回値（ＵＰフラグ／ＤＯＷＮフラグ／無変化フラグ）が格納される。
【００６５】
図１０の（Ｂ）に示す状態管理テーブル３２５の開始時刻のフィールドの前回値の欄には、更新前の開始時刻の今回値がコピーされて格納される。なお、更新前の開始時刻の今回値は、消費電力値の傾向状態が変化した場合において、傾向状態が変化した以前の傾向状態が始まった時刻（Ｔｓ）、或いは、現在時刻（Ｔｎ）から収集時間を減算した時刻（Ｔｌ＝Ｔｎ−収集時間）から、収集時間を減算した時刻（Ｔｌ−収集時間）である。図１０の（Ｂ）に示す状態管理テーブル３２５の開始時刻のフィールドの今回値の欄には、現在時刻（Ｔｎ）から収集時間を減算した時刻（Ｔｌ＝Ｔｎ−収集時間）が格納される。
【００６６】
図１０の（Ｂ）に示す状態管理テーブル３２５の終了時刻のフィールドの前回値の欄には、更新前の終了時刻の今回値がコピーされて格納される。図１０の（Ｂ）に示す状態管理テーブル３２５の終了時刻のフィールドの今回値の欄には、現在時刻（Ｔｎ）が格納される。
【００６７】
図１０の（Ｂ）に示す状態管理テーブル３２５の経過時間のフィールドの前回値の欄には、更新前の経過時間の今回値がコピーされて格納される。図１０の（Ｂ）に示す状態管理テーブル３２５の経過時間のフィールドの今回値の欄には、終了時刻（Ｔｎ）から開始時刻（Ｔｌ）を減算した時間（Ｔｎ−Ｔｌ）が格納される。
【００６８】
図１０の（Ｂ）に示す状態管理テーブル３２５の開始消費電力のフィールドの前回値の欄には、更新前の開始消費電力値の今回値がコピーされて格納される。更新前の開始消費電力値の今回値は、消費電力値の傾向状態が変化した場合において、傾向状態が変化した以前の傾向状態が始まった時刻（Ｔｓ）で収集された消費電力値（Ｐｓ）、或いは、現在時刻（Ｔｎ）から収集時間を減算した時刻（Ｔｌ＝Ｔｎ−収集時間）で収集された消費電力値（Ｐｌ）である。図１０の（Ｂ）に示す状態管理テーブル３２５の開始消費電力のフィールドの今回値の欄には、終了消費電力値の前回値がコピーされて格納される。
【００６９】
図１０の（Ｂ）に示す状態管理テーブル３２５の終了消費電力のフィールドの前回値の欄には、更新前の終了消費電力値の今回値がコピーされて格納される。更新前の終了消費
電力値の今回値は、現在時刻（Ｔｎ）から収集時間を減算した時刻（Ｔｌ＝Ｔｎ−収集時間）で収集された消費電力値（Ｐｌ）である。図１０の（Ｂ）に示す状態管理テーブル３２５の終了消費電力のフィールドの今回値の欄には、現在時刻（Ｔｎ）で収集された消費電力値（Ｐｎ）が格納される。
【００７０】
図１０の（Ｂ）に示す状態管理テーブル３２５の状態フラグのフィールドの前回値の欄には、更新前の状態フラグの今回値がコピーされて格納される。図１０の（Ｂ）に示す状態管理テーブル３２５の状態フラグのフィールドの今回値の欄には、消費電力値の傾向状態が変化した場合における状態フラグの今回値（ＵＰフラグ／ＤＯＷＮフラグ／無変化フラグ）が格納される。
【００７１】
図１１を参照して、状態管理テーブル３２５における開始時刻、終了時刻、経過時間、開始消費電力、終了消費電力及び状態フラグの各フィールドに格納された情報を更新する処理を説明する。図１１は、図６に示した収集時刻及び消費電力値に基づいて、状態管理テーブル３２５の開始時刻、終了時刻、経過時間、開始消費電力、終了消費電力及び状態フラグの各フィールドに数値情報を格納した場合の格納例である。
【００７２】
図１１の（４）１２：３０における状態管理テーブル３２５の前回値の欄には、図１１の（３）１２：２０における状態管理テーブル３２５の今回値の欄に格納された情報が、コピーされて格納されている。図１１の（４）１２：３０における状態管理テーブル３２５の終了時刻及び終了消費電力のフィールドの今回値の欄には、収集時刻である１２：３０及びその収集時刻において収集された消費電力値が格納されている。終了消費電力のフィールドの前回値の欄には５０（Ｗ）が格納され、終了消費電力のフィールドの今回値の欄には６０（Ｗ）が格納されているので、状態フラグのフィールドの今回値の欄にはＵＰフラグが格納されている。
【００７３】
図１１の（４）１２：３０における状態管理テーブル３２５は、状態フラグの前回値と、状態フラグの今回値とが同じ場合であるので、開始時刻のフィールドの今回値の欄には、消費電力値の上昇傾向状態が始まった時刻である１２：００が格納される。なお、消費電力値の上昇傾向状態が始まった時刻が１２：００であるため、開始時刻のフィールドの前回値の欄についても、１２：００が格納されている。経過時間のフィールドの今回値の欄には、終了時刻１２：３０から開始時刻１２：００を減算した時間である３０分が格納されている。
【００７４】
図１１の（５）１２：４０における状態管理テーブル３２５の前回値の欄には、図１１の（４）１２：３０における状態管理テーブル３２５の今回値の欄に格納された情報が、コピーされて格納されている。図１１の（５）１２：４０における状態管理テーブル３２５の終了時刻及び終了消費電力のフィールドの今回値の欄には、現在時刻（収集時刻）である１２：４０及び現在時刻（収集時刻）で収集された消費電力値である６０（Ｗ）が格納されている。終了消費電力のフィールドの前回値の欄には６０（Ｗ）が格納され、終了消費電力のフィールドの今回値の欄には６０（Ｗ）が格納されているので、状態フラグのフィールドの今回値の欄には無変化フラグが格納されている。
【００７５】
図１１の（５）１２：４０における状態管理テーブル３２５は、状態フラグの前回値と、状態フラグの今回値とが異なる場合であるので、開始時刻のフィールドの今回値の欄には、現在時刻（収集時刻）の１２：４０から収集時間１０分を減算した時刻である１２：３０が格納されている。経過時間のフィールドの今回値の欄には、終了時刻１２：４０から開始時刻１２：００を減算した時間である１０分が格納されている。
【００７６】
図１２は、最小消費電力テーブル３２６の構成例である。最小消費電力テーブル３２６
は、電気機器２が有する二次電池が劣化しているか否かを判定するために用いられるテーブルである。最小消費電力テーブル３２６は、対象機器名称、開始時刻、終了時刻、経過時間及び消費電力の各フィールドを有している。管理装置３が、複数の電源接続機器１を管理している場合、最小消費電力テーブル３２６には、複数の電源接続機器１から取得した対象機器名称、開始時刻、終了時刻、経過時間及び消費電力の各情報が格納される。
【００７７】
最小消費電力テーブル３２６の対象機器名称のフィールドには、電気機器２の名称が格納されている。最小消費電力テーブル３２６の開始時刻のフィールドには、消費電力値が無変化の傾向状態を継続する場合において、無変化の傾向状態が始まった時刻（Ｔｓ）が格納される。最小消費電力テーブル３２６の終了時刻のフィールドには、現在時刻（Ｔｎ）が格納される。最小消費電力テーブル３２６の経過時間のフィールドには、終了時刻（Ｔｎ）から開始時刻（Ｔｓ）を減算した時間（Ｔｎ−Ｔｓ）が格納される。最小消費電力テーブル３２６の消費電力のフィールドには、現在時刻（Ｔｎ）で収集された消費電力値（Ｐｎ）が格納される。
【００７８】
状態管理テーブル３２５の状態フラグの今回値及び前回値が無変化フラグであり、経過時間の今回値が最低経過時間を越えた場合、状態管理テーブル３２５の開始時刻、終了時刻、経過時間及び消費電力のフィールドにおける今回値の欄に格納されている情報が最小消費電力テーブル３２６に格納される。図１１を参照して、最小消費電力テーブル３２６における開始時刻、終了時刻、経過時間及び消費電力の各フィールドに格納された情報を更新する処理を説明する。なお、ここでは、最低経過時間を３０分とする。図１１の（７）１３：００における状態管理テーブル３２５では、状態フラグの今回値及び前回値が無変化フラグであり、経過時間の今回値が３０分を越えている。したがって、図１１の（７）１３：００における状態管理テーブル３２５の開始時刻、終了時刻、経過時間及び消費電力のフィールドにおける今回値の欄に格納されている情報が、最小消費電力テーブル３２６の始時刻、終了時刻、経過時間及び消費電力のフィールドに格納される。また、図１１の（１０）、（１２）及び（１３）についても、図１１の（７）と同じ状況が発生しているので、状態管理テーブル３２５の開始時刻、終了時刻、経過時間及び消費電力のフィールドにおける今回値の欄に格納されている情報が、最小消費電力テーブル３２６の始時刻、終了時刻、経過時間及び消費電力のフィールドに格納される。
【００７９】
＜処理フロー＞
図１３及び図１４に、管理装置３による二次電池の劣化検出処理のフローチャートを例示する。管理装置３は、主記憶装置に実行可能に展開されたコンピュータプログラムにより二次電池の劣化検出処理を実行する。
【００８０】
図１３のＳ０１において、二次電池の劣化検出処理を実行する前提として、電気機器２を使用するユーザは、ユーザ情報の登録の手続きを行う。ユーザ情報の登録の手続きが終ると、図１３のＳ０２に進む。ユーザ情報の登録の手続きについては後述する。
【００８１】
図１３のＳ０２において、管理装置３の制御部３１２は、ユーザが、電気機器２を、管理装置３に提供したユーザ情報に含まれるコンセントＩＤに対応するコンセントＣ１に接続したことを検知する。この際、ユーザが電気機器２に接続されている電源ケーブルのプラグをコンセントＣ１に挿入すると、電源接続機器１は電流センサＣＳ１によって検出された電流値を管理装置３に送信する。言い換えると、管理装置３の制御部３１２は、Ｓ０２においてユーザが電気機器２のプラグをコンセントＣ１に挿入されるまで待つ。
【００８２】
次に、図１３のＳ０３において、管理装置３の制御部３１２は、タイマ３９を参照し、電源接続機器１から送信された電流値を最初に受信した時刻を、開始時刻テーブル３２２に記憶する。この場合、収集時間と比較するための第１時刻と、閾値決定時間及び最大時
間と比較するための第２時刻とを、開始時刻テーブル３２２に記憶する。図９（Ａ）は、開始時刻テーブル３２２の一例を示す図である。開始時刻テーブル３２２は、機器ＩＤ及びコンセントＩＤ毎に作成され、管理装置３の外部記憶装置に記憶される。
【００８３】
なお、電源接続機器１は、検知回路を有していてもよい。電源接続機器１の検知回路は、電気機器２に接続されている電源ケーブルのプラグがコンセントＣ１に挿入されているか否かを検知する。電源接続機器１の検知回路は、例えば、電気機器２に接続されている電源ケーブルのプラグがコンセントＣ１に挿入されているか否かをパルス信号によって検知してもよい。電源接続機器１の検知回路は、電気機器２に接続されている電源ケーブルのプラグにパルス信号を送信し、送信したパルス信号に対する応答が返ってくると、検知回路は、電気機器２に接続されている電源ケーブルのプラグがコンタクトに挿入されていると検知してもよい。ただし、これに限らず、検知回路は、電気機器２に接続されている電源ケーブルのプラグがコンセントＣ１に挿入されているか否かを光学センサによって検知してもよいし、マイクロスイッチ等によって機械的に検知してもよい。
【００８４】
電気機器２に接続されている電源ケーブルのプラグがコンセントＣ１に挿入されると、電源接続機器１の検知回路は、電気機器２に接続されている電源ケーブルのプラグがコンセントＣ１に挿入されたことを検知する。そして、電源接続機器１の検知回路は、電気機器２に接続されている電源ケーブルのプラグがコンセントＣ１に挿入されたことを示す検知信号を、信号制御部１０に送信する。信号制御部１０は、電気機器２に接続されている電源ケーブルのプラグがコンセントＣ１に挿入されたことを検知して、管理装置３に検知信号を送信する。管理装置３の制御部３１２は、電源接続機器１から送信された検知信号を最初に受信した時刻を、開始時刻テーブル３２２に記憶するようにしてもよい。
【００８５】
図１３のＳ０４において、管理装置３の制御部３１２は、最小消費電力テーブル３２６に、ユーザ情報テーブル３２１に記憶されている電気機器２の名称が存在するか否を判定する。例えば、管理装置３が、複数の電源接続機器１を管理している場合、最小消費電力テーブル３２６の各フィールドには、他の電源接続機器１から取得した情報が格納される。最小消費電力テーブル３２６に、ユーザ情報テーブル３２１に記憶されている電気機器２の名称が存在する場合、最小消費電力テーブル３２６に格納されている情報を用いることにより、後述する充電完了閾値決定処理を省略することが可能となる。最小消費電力テーブル３２６に、ユーザ情報テーブル３２１に記憶されている電気機器２の名称が存在する場合（図１３のＳ０４でＹＥＳ）、図１４のＳ０９に進む。図１４のＳ０９の以降の処理については、後述する。一方、最小消費電力テーブル３２６に、ユーザ情報テーブル３２１に記憶されている電気機器２の名称が存在しない場合（図１３のＳ０４でＮＯ）、図１３のＳ０５に進む。
【００８６】
図１３のＳ０５において、管理装置３の制御部３１２は、サービスが停止したか否かを判定する。例えば、管理装置３がユーザ端末６からユーザ情報の登録の解除を受け付けた場合、管理装置３の制御部３１２は、サービスが停止したと判定してもよい。また、例えば、電源接続機器１と管理装置３との接続が切断された場合、管理装置３の制御部３１２は、サービスが停止したと判定してもよい。管理装置３の制御部３１２が、サービスの停止と判定した場合（図１３のＳ０５でＹＥＳ）、二次電池の劣化検出処理を終了する。
【００８７】
一方、管理装置３の制御部３１２が、サービスの継続と判定した場合（図１３のＳ０５でＮＯ）、図１３のＳ０６に進む。図１３のＳ０６において、管理装置３の制御部３１２は、タイマ３９を参照し、開始時刻テーブル３２２に記憶されている第１時刻から現在時刻までの経過時間が、ユーザ情報テーブル３２１に記憶されている収集時間を越えているか否かを判定する。
【００８８】
開始時刻テーブル３２２に記憶されている第１時刻から現在時刻までの経過時間が、ユーザ情報テーブル３２１に記憶されている収集時間を越えている場合（図１３のＳ０６でＹＥＳ）、図１３のＳ０７に進み、管理装置３は、充電完了閾値決定処理を行う。図１３のＳ０７において、充電完了閾値決定処理が終了すると、図１３のＳ０８に進む。充電完了閾値決定処理については後述する。一方、開始時刻テーブル３２２に記憶されている第１時刻から現在時刻までの経過時間が、ユーザ情報テーブル３２１に記憶されている収集時間を越えていない場合（図１３のＳ０６でＮＯ）、図１３のＳ０５に進む。
【００８９】
図１３のＳ０８において、管理装置３の制御部３１２は、タイマ３９を参照し、開始時刻テーブル３２２に記憶されている第２時刻から現在時刻までの経過時間が、ユーザ情報テーブル３２１に記憶されている閾値決定時間を越えているか否かを判定する。開始時刻テーブル３２２に記憶されている第２時刻から現在時刻までの経過時間が、ユーザ情報テーブル３２１に記憶されている閾値決定時間を越えている場合（図１３のＳ０８でＹＥＳ）、図１４のＳ０９に進む。一方、開始時刻テーブル３２２に記憶されている第２時刻から現在時刻までの経過時間が、ユーザ情報テーブル３２１に記憶されている閾値決定時間を越えていない場合（図１３のＳ０８でＮＯ）、図１３のＳ０５に進む。
【００９０】
次に、図１４を参照して、図１３のＳ０４及びＳ０８に続く処理を説明する。図１４のＳ０９において、管理装置３の制御部３１２は、サービスが停止したか否かを判定する。例えば、管理装置３がユーザ端末６からユーザ情報の登録の解除を受け付けた場合、管理装置３の制御部３１２は、サービスが停止したと判定してもよい。また、例えば、電源接続機器１と管理装置３との接続が切断された場合、管理装置３の制御部３１２は、サービスが停止したと判定してもよい。管理装置３の制御部３１２が、サービスの停止と判定した場合（図１４のＳ０９でＹＥＳ）、二次電池の劣化検出処理を終了する。一方、管理装置３の制御部３１２が、サービスの継続と判定した場合（図１４のＳ０９でＮＯ）、図１４のＳ０１０に進む。
【００９１】
図１４のＳ０１０において、管理装置３の制御部３１２は、タイマ３９を参照し、開始時刻テーブル３２２に記憶されている第１時刻から現在時刻までの経過時間が、ユーザ情報テーブル３２１に記憶されている収集時間を越えているか否かを判定する。開始時刻テーブル３２２に記憶されている第１時刻から現在時刻までの経過時間が、ユーザ情報テーブル３２１に記憶されている収集時間を越えている場合（図１４のＳ０１０でＹＥＳ）、図１４のＳ０１１に進み、管理装置３の制御部３１２は、二次電池品質管理処理を行う。
【００９２】
図１４のＳ０１１において、二次電池品質管理処理が終了すると、図１４のＳ０１２に進む。二次電池品質管理処理については後述する。一方、開始時刻テーブル３２２に記憶されている第１時刻から現在時刻までの経過時間が、ユーザ情報テーブル３２１に記憶されている収集時間を越えていない場合（図１４のＳ０１０でＮＯ）、図１４のＳ０９に進む。
【００９３】
図１４のＳ０１２において、管理装置３の制御部３１２は、状態管理テーブル３２５と、システム設定値テーブル３２０及び最小消費電力テーブル３２６とを比較する。この場合、管理装置３の制御部３１２は、以下の２つの条件が満たされているか否かを判定する。（１）状態管理テーブル３２５の経過時間のフィールドにおける今回値の欄に格納されている時間が、システム設定値テーブル３２０の最低経過時間のフィールドに格納されている時間を越えている。（２）状態管理テーブル３２５の開始消費電力及び終了消費電力のフィールドにおける今回値の欄に格納されている消費電力値と、最小消費電力テーブル３２６の消費電力のフィールドに格納されている消費電力値とが同一値である。なお、管理装置３の制御部３１２は、消費電力値のラウンド幅を用いて、条件（２）が満たされているか否かの判定を行ってもよい。
【００９４】
上記２つの条件（１）及び（２）が満たされている場合（図１４のＳ０１２でＹＥＳ）、図１４のＳ０１３に進み、管理装置３の制御部３１２は、コンセントＣ１に接続された電源機器２が有する二次電池は、正常（劣化していない）と判定する。そして、図１４のＳ０１４に進む。図１４のＳ０１４において、管理装置３の制御部３１２は、タイマ３９の現在時刻を、開始時刻テーブル３２２の第２時刻に設定（開始時刻をリセット）し、図１４の００９に進む。
【００９５】
一方、上記２つの条件（１）及び（２）が満たされていない場合（図１４のＳ０１２でＮＯ）、図１４のＳ０１５に進む。図１４のＳ０１５において、管理装置３の制御部３１２は、タイマ３９を参照し、開始時刻テーブル３２２に記憶されている第２時刻から現在時刻までの経過時間が、ユーザ情報テーブル３２１に記憶されている最大時間を越えているか否かを判定する。電気機器２の二次電池が満充電の状態になっても、何らかの要因で電気機器２の二次電池の消費電力値と最低消費電力値とが同一にならない場合もある。そのため、図１４のＳ０１２の判定でＮＯとなっても、直ちに電気機器２の二次電池が劣化していると判断するのを避けるため、図１４のＳ０１５において、第２時刻から現在時刻までの経過時間が、最大時間を経過しているかの判定を行っている。開始時刻テーブル３２２に記憶されている第２時刻から現在時刻までの経過時間が、ユーザ情報テーブル３２１に記憶されている最大時間を越えていない場合（図１４のＳ０１５でＮＯ）、図１４の０９に進む。
【００９６】
一方、開始時刻テーブル３２２に記憶されている第２時刻から現在時刻までの経過時間が、ユーザ情報テーブル３２１に記憶されている最大時間を越えている場合（図１４のＳ０１５でＹＥＳ）、図１４のＳ０１６に進む。図１４のＳ０１６において、管理装置３の制御部３１２は、コンセントＣ１に接続された電源機器２が有する二次電池は、劣化していると判定する。
【００９７】
そして、図１４の０１７において、管理装置３の通信部３１３は、コンセントＣ１に接続された電源機器２が有する二次電池が劣化している旨のメッセージを、ユーザ端末６に送る。この場合、管理装置３の制御部３１２は、メッセージとともに、電源接続機器１の機器ＩＤ、電気機器２を接続するコンセントＣ１のコンセントＩＤ、コンセントＣ１に接続される電気機器２の名称の少なくとも１つ以上を、ユーザ端末６に送ってもよい。管理装置３の通信部３１３が、コンセントＣ１に接続された電源機器２が有する二次電池が劣化している旨のメッセージを送ると、図１４のＳ０１４に進む。
【００９８】
〈ユーザ情報の登録手続処理〉
図１５を参照して、ユーザ情報の登録の手続きについて説明する。まず、図１５のＳ０１において、電気機器２を使用するユーザは、ユーザ端末６を操作することにより、管理装置３にユーザ情報を提供する。例えば、ユーザ端末６が、管理装置３によって提供される登録サイト（ＷＥＢサイト）にアクセスし、ユーザ端末６の表示装置の画面上に表示されるＷＥＢページに、ユーザがユーザ情報を入力するようにしてもよい。また、例えば、ユーザ端末６によって送信されるＥメールを管理装置３が受け取り、Ｅメールの本文又は添付ファイルに記載されているユーザ情報を、管理装置３が受け取るようにしてもよい。上述したように、ユーザ情報は、電源接続機器１の機器ＩＤ、電気機器２を接続するコンセントＣ１のコンセントＩＤ、コンセントＣ１に接続される電気機器２の名称（対象機器名称）である。機器ＩＤは、電源接続機器１を一意に識別するための識別番号である。コンセントＩＤは、コンセントＣ１を一意に識別するための識別番号である。また、管理装置３にユーザ情報を提供する際に、ユーザは、希望するシステム設定値を管理装置３に提供してもよい。
【００９９】
そして、図１５のＳ０２において、管理装置３の制御部３１２は、ユーザ情報を、システム設定値テーブル３２０に記憶されているシステム設定値とともに、ユーザ情報テーブル３２１に記憶する。この場合、管理装置３の制御部３１２は、ユーザ情報テーブル３２１に過去に記憶された情報であって、現在使用していない情報を削除するようにしてもよい。また、管理装置３が、ユーザの希望するシステム設定値の提供を受けている場合、管理装置３の制御部３１２は、ユーザ情報を、ユーザの希望するシステム設定値とともに、ユーザ情報テーブル３２１に記憶する。図８（Ｂ）は、ユーザ情報及びシステム設定値を記憶したユーザ情報テーブル３２１の一例を示す図である。次に、図１５のＳ０３において、管理装置３は、ユーザ情報の登録完了のメッセージをユーザ端末６に送信する。
【０１００】
〈充電完了閾値決定処理〉
図１３のＳ０７で行われる充電完了閾値決定処理について、図１６を参照して詳述する。充電完了閾値決定処理では、まず、消費電力収集処理を行う（図１６のＳ０１）。消費電力収集処理を行った後、状態フラグテーブル処理を行う（図１６のＳ０２）。状態フラグテーブル処理を行った後、状態管理テーブル処理を行う（図１６のＳ０３）。状態管理テーブル処理を行った後、最小消費電力テーブル処理を行う（図１６のＳ０４）。最小消費電力テーブル処理が行われると、充電完了閾値決定処理が終了する。
【０１０１】
〈〈消費電力収集処理〉〉
消費電力収集処理（図１６のＳ０１）について、図１７を参照して詳述する。消費電力収集処理では、まず、図１７のＳ０１において、管理装置３の電力収集部３１１は、電気機器２の消費電力値の収集が２回目以降であるか否かを判定する。すなわち、管理装置３の電力収集部３１１は、消費電力テーブル３２３の収集時刻のフィールドにおける今回値の欄に、消費電力値（Ｐｎ）が格納されているか否かを判定する。電気機器２の消費電力値の収集が２回目以降である場合、図１７のＳ０２に進む。一方、電気機器２の消費電力値の収集が２回目以降でない場合、図１７のＳ０３に進む。
【０１０２】
図１７のＳ０２において、管理装置３の電力収集部３１１は、消費電力テーブル３２３の収集時刻のフィールドにおける今回値の欄に格納されている情報を、前回値の欄に格納する。図１７のＳ０３において、管理装置３の電力収集部３１１は、電源接続機器１から送信された電流値を、所定期間、収集する。所定期間は、例えば、５分、１分、１秒等であるが、ユーザ情報テーブル３２１に記憶されている収集時間を越えない値とする。管理装置３の電力収集部３１１は、収集した電流値を電力値に換算する。なお、電源接続機器１から送信された電流値を管理装置３の外部記憶装置に蓄積しておき、電力収集部３１１は、外部記憶装置に蓄積されている電流値を収集するようにしてもよい。
【０１０３】
図１７のＳ０４において、管理装置３の電力収集部３１１は、電気機器２の消費電力値を、収集時刻とともに、消費電力テーブル３２３の今回値の欄に格納する。収集時刻は、所定期間時間内で消費電力値を収集した場合の所定期間の始期、終期、中間等のいずれの時刻であってもよいし、所定期間内における他の時刻であってもよい。消費電力テーブル３２３に格納される消費電力値は、収集時刻の電力値であってもよい。また、消費電力テーブル３２３に格納される消費電力値は、所定期間で収集した消費電力値の平均電力値であってもよい。また、平均電力値の他に、最大値、最小値等であってもよい。
図１７のＳ０４の処理が終了すると、消費電力収集処理（図１６のＳ０１、図４）が終了する。なお、管理装置３の電力収集部３１１は、電気機器２の消費電力値を収集した時点で、タイマ３９の現在時刻を、開始時刻テーブル３２２の第１時刻に設定（開始時刻をリセット）する。
【０１０４】
〈〈状態フラグテーブル処理〉〉
状態フラグテーブル処理（図１６のＳ０２）について、図１８を参照して詳述する。状
態フラグテーブル処理では、まず、図１８のＳ０１において、管理装置３の制御部３１２は、消費電力テーブル３２３の消費電力のフィールドにおける前回値の欄に格納されている消費電力値（Ｐｌ）を読み出す。なお、消費電力テーブル３２３の消費電力のフィールドにおける前回値の欄に、消費電力値（Ｐｌ）が格納されていない場合、以下の処理を行わずに、状態フラグテーブル処理を終了する。
【０１０５】
図１８のＳ０２において、管理装置３の制御部３１２は、消費電力テーブル３２３の消費電力のフィールドにおける今回値の欄に格納されている消費電力値（Ｐｎ）を読み出す。次に、図１８のＳ０３において、管理装置３の制御部３１２は、消費電力値の前回値（Ｐｌ）から消費電力値の今回値（Ｐｎ）を減算することにより、消費電力値の前回値（Ｐｌ）と消費電力値の今回値（Ｐｎ）との差分値（Ｐｄ２）を算出する。
【０１０６】
次いで、図１８のＳ０４において、管理装置３の制御部３１２は、差分値（Ｐｄ２）が消費電力値の前回値のラウンド幅のマイナス値よりも小さいか否かを判定する。例えば、消費電力値の前回値が５０Ｗであり、消費電力値の今回値が６０Ｗであり、ラウンド幅が±１０％とする。差分値（Ｐｄ２）は−１０Ｗとなり、消費電力値の前回値のラウンド幅のマイナス値は−５Ｗとなる。差分値（Ｐｄ２）の−１０Ｗは、ラウンド幅のマイナス値の−５Ｗよりも小さいので、管理装置３の制御部３１２は、差分値（Ｐｄ２）が消費電力値の前回値のラウンド幅のマイナス値よりも小さいと判定する。差分値（Ｐｄ２）が消費電力値の前回値のラウンド幅のマイナス値よりも小さい場合（図１８のＳ０４でＹＥＳ）、図１８のＳ０５に進む。
【０１０７】
図１８のＳ０５において、管理装置３の制御部３１２は、電気機器２の消費電力値が上昇傾向の状態にあると決定し、状態フラグテーブル３２４に、収集時刻、消費電力値、差分値及び状態フラグに関する情報を格納する。この場合、管理装置３の制御部３１２は、収集時刻及び消費電力値に関して、図１７のＳ０４において消費電力テーブル３２３に格納した収集時刻及び消費電力値と同じ値を用いる。管理装置３の制御部３１２は、差分値に関して、図１８のＳ０３において算出した差分値（Ｐｄ２）を用いる。電気機器２の消費電力値が上昇傾向の状態にあるため、管理装置３の制御部３１２は、状態フラグテーブル３２４の状態フラグのフィールドの今回値の欄に、ＵＰフラグを格納する。
【０１０８】
一方、差分値（Ｐｄ２）が消費電力値の前回値のラウンド幅のマイナス値よりも小さくない場合（図１８のＳ０４でＮＯ）、図１８のＳ０６に進む。図１８のＳ０６において、管理装置３の制御部３１２は、差分値（Ｐｄ２）が消費電力値の前回値のラウンド幅のプラス値よりも大きいか否かを判定する。例えば、消費電力値の前回値が６０Ｗであり、消費電力値の今回値が５０Ｗであり、ラウンド幅が±１０％とする。差分値（Ｐｄ２）は＋１０Ｗとなり、消費電力値の前回値のラウンド幅のプラス値は＋６Ｗとなる。差分値（Ｐｄ２）の＋１０Ｗは、ラウンド幅のプラス値の＋６Ｗよりも大きいので、管理装置３の制御部３１２は、差分値（Ｐｄ２）が消費電力値の前回値のラウンド幅のプラス値よりも大きいと判定する。
【０１０９】
差分値（Ｐｄ２）が消費電力値の前回値のラウンド幅のプラス値よりも大きい場合（図１８のＳ０６でＹＥＳ）、図１８のＳ０７に進む。図１８のＳ０７において、管理装置３の制御部３１２は、電気機器２の消費電力値が下降傾向の状態にあると決定し、状態フラグテーブル３２４に、収集時刻、消費電力値、差分値及び状態フラグに関する情報を格納する。この場合、管理装置３の制御部３１２は、収集時刻及び消費電力値に関して、図１７のＳ０４において消費電力テーブル３２３に格納した収集時刻及び消費電力値と同じ値を用いる。管理装置３の制御部３１２は、差分値に関して、図１８のＳ０３において算出した差分値（Ｐｄ２）を用いる。電気機器２の消費電力値が下降傾向の状態にあるため、管理装置３の制御部３１２は、状態フラグテーブル３２４の状態フラグのフィールドの今
回値の欄に、ＤＯＷＮフラグを格納する。
【０１１０】
また、差分値（Ｐｄ２）が消費電力値の前回値のラウンド幅のプラス値よりも大きくない場合（図１８のＳ０６でＮＯ）、図１８のＳ０８に進む。図１８のＳ０８において、管理装置３の制御部３１２は、電気機器２の消費電力値が無変化傾向の状態にあると決定し、状態フラグテーブル３２４に、収集時刻、消費電力値、差分値及び状態フラグに関する情報を格納する。この場合、管理装置３の制御部３１２は、収集時刻及び消費電力値に関して、図１７のＳ０４において消費電力テーブル３２３に格納した収集時刻及び消費電力値と同じ値を用いる。管理装置３の制御部３１２は、差分値に関して、図１８のＳ０３において算出した差分値（Ｐｄ２）を用いる。電気機器２の消費電力値が無変化傾向の状態にあるため、管理装置３の制御部３１２は、状態フラグテーブル３２４の状態フラグのフィールドの今回値の欄に、無変化フラグを格納する。
【０１１１】
図１８のＳ０５、Ｓ０７又はＳ０８のうちの何れかの処理が終了すると、状態フラグテーブル処理（図１６のＳ０２、図１８）が終了する。
【０１１２】
〈〈状態管理テーブル処理〉〉
状態管理テーブル処理（図１６のＳ０３）について、図１９を参照して詳述する。状態管理テーブル処理では、まず、図１９のＳ０１において、管理装置３の制御部３１２は、状態管理テーブル３２５の開始時刻、終了時刻、経過時間、開始消費電力、終了消費電力及び状態フラグの各フィールドにおける今回値の欄に格納されている情報を、前回値の欄に格納する。
【０１１３】
そして、図１９のＳ０２において、管理装置３の制御部３１２は、状態フラグテーブル３２４の収集時刻、消費電力及び状態フラグの各フィールドにおける前回値の欄に格納されている収集時刻（Ｔｌ）、消費電力値（Ｐｌ）及び状態フラグ（Ｆｌ）を読み出す。上述したように、状態フラグ（Ｆｌ）は、ＵＰフラグ、ＤＯＷＮフラグ又は無変化フラグのいずれかである。次に、図１９のＳ０３において、管理装置３の制御部３１２は、状態フラグテーブル３２４の収集時刻、消費電力及び状態フラグの各フィールドにおける今回値の欄に格納されている収集時刻（Ｔｎ）、消費電力値（Ｐｎ）及び状態フラグ（Ｆｎ）を読み出す。上述したように、状態フラグ（Ｆｎ）は、ＵＰフラグ、ＤＯＷＮフラグ又は無変化フラグのいずれかである。
【０１１４】
次いで、図１９のＳ０４において、管理装置３の制御部３１２は、状態フラグ（Ｆｌ）と状態フラグ（Ｆｎ）とが同じ状態であるか否かを判定する。状態フラグ（Ｆｌ）と状態フラグ（Ｆｎ）とが同じ状態である場合（図１９のＳ０４でＹＥＳ）、図１９のＳ０５に進む。図１９のＳ０５において、管理装置３の制御部３１２は、状態管理テーブル３２５の今回値の欄に、開始時刻、終了時刻、経過時間、開始消費電力値、終了消費電力値及び状態フラグに関する情報を格納する。管理装置３の制御部３１２は、状態管理テーブル３２５の開始時刻のフィールドにおける今回値の欄に、開始時刻（Ｔｓ）を格納する。管理装置３の制御部３１２は、状態管理テーブル３２５の終了時刻のフィールドにおける今回値の欄に、終了時刻（Ｔｎ）を格納する。管理装置３の制御部３１２は、状態管理テーブル３２５の開始消費電力のフィールドにおける今回値の欄に、開始消費電力値（Ｐｓ）を格納する。管理装置３の制御部３１２は、状態管理テーブル３２５の終了消費電力のフィールドにおける今回値の欄に、終了消費電力値（Ｐｎ）を格納する。管理装置３の制御部３１２は、状態管理テーブル３２５の状態フラグのフィールドにおける今回値の欄に、状態フラグ（Ｆｌ）を格納する。
【０１１５】
一方、状態フラグ（Ｆｌ）と状態フラグ（Ｆｎ）とが同じ状態でない場合（図１９のＳ０４でＮＯ）、図１９のＳ０６に進む。図１９のＳ０６において、管理装置３の制御部３
１２は、状態管理テーブル３２５の今回値の欄に、開始時刻、終了時刻、経過時間、開始消費電力値、終了消費電力値及び状態フラグに関する情報を格納する。管理装置３の制御部３１２は、状態管理テーブル３２５の開始時刻のフィールドにおける今回値の欄に、開始時刻（Ｔｌ）を格納する。管理装置３の制御部３１２は、状態管理テーブル３２５の終了時刻のフィールドにおける今回値の欄に、終了時刻（Ｔｎ）を格納する。管理装置３の制御部３１２は、状態管理テーブル３２５の開始消費電力のフィールドにおける今回値の欄に、開始消費電力値（Ｐｌ）を格納する。管理装置３の制御部３１２は、状態管理テーブル３２５の終了消費電力のフィールドにおける今回値の欄に、終了消費電力値（Ｐｎ）を格納する。管理装置３の制御部３１２は、状態管理テーブル３２５の状態フラグのフィールドにおける今回値の欄に、状態フラグ（Ｆｎ）を格納する。
【０１１６】
図１９のＳ０６又はＳ０７の何れかの処理が終了すると、状態管理テーブル処理（図１６のＳ０３、図１９）が終了する。
【０１１７】
〈〈最小消費電力テーブル処理〉〉
最小消費電力テーブル処理（図１６のＳ０４）について、図２０を参照して詳述する。最小消費電力テーブル処理では、まず、図２０のＳ０１において、管理装置３の制御部３１２は、状態管理テーブル３２５の状態フラグのフィールドにおける前回値の欄に格納されている状態フラグ（Ｆｌ）と、状態管理テーブル３２５の状態フラグのフィールドにおける今回値の欄に格納されている状態フラグ（Ｆｎ）とを読み出す。上述したように、状態フラグ（Ｆｌ）及び状態フラグ（Ｆｎ）は、ＵＰフラグ、ＤＯＷＮフラグ又は無変化フラグのいずれかである。
【０１１８】
そして、図２０のＳ０２において、管理装置３の制御部３１２は、状態フラグ（Ｆｌ）が無変化フラグであり、かつ、状態フラグ（Ｆｎ）が無変化フラグであるか否かを判定する。状態フラグ（Ｆｌ）が無変化フラグでない場合や状態フラグ（Ｆｎ）が無変化フラグでない場合（図２０のＳ０２でＮＯ）、最小消費電力テーブル処理（図１６のＳ０４、図２０）が終了する。一方、状態フラグ（Ｆｌ）が無変化フラグであり、かつ、状態フラグ（Ｆｎ）が無変化フラグである場合（図２０のＳ０２でＹＥＳ）、図２０のＳ０３に進む。
【０１１９】
次に、図２０のＳ０３において、管理装置３の制御部３１２は、状態管理テーブル３２５の状態フラグのフィールドにおける前回値又は今回値の欄に格納されている消費電力値が、最小消費電力テーブル３２６の消費電力のフィールドに格納されている消費電力値よりも小さいか否かを判定する。ただし、状態管理テーブル３２５の状態フラグのフィールドにおける前回値又は今回値の欄に格納されている消費電力値が、０Ｗでないことを条件とする。状態管理テーブル３２５の状態フラグのフィールドにおける前回値又は今回値の欄に格納されている消費電力値が、最小消費電力テーブル３２６の消費電力のフィールドに格納されている消費電力値よりも小さくない場合（図２０のＳ０３でＮＯ）、最小消費電力テーブル処理（図１６のＳ０４、図２０）が終了する。一方、状態管理テーブル３２５の状態フラグのフィールドにおける前回値又は今回値の欄に格納されている消費電力値が、最小消費電力テーブル３２６の消費電力のフィールドに格納されている消費電力値よりも小さい場合（図２０のＳ０３でＹＥＳ）、図２０のＳ０４に進む。
【０１２０】
次いで、図２０のＳ０４において、管理装置３の制御部３１２は、状態管理テーブル３２５の経過時間のフィールドにおける今回値の欄に格納されている時間が、システム設定値テーブル３２０の最低経過時間のフィールドに格納されている時間を越えているか否かを判定する。状態管理テーブル３２５の経過時間のフィールドにおける今回値の欄に格納されている時間が、システム設定値テーブル３２０の最低経過時間のフィールドに格納されている時間を越えていない場合（図２０のＳ０４でＮＯ）、最小消費電力テーブル処理
（図１６のＳ０４、図２０）が終了する。一方、状態管理テーブル３２５の経過時間のフィールドにおける今回値の欄に格納されている時間が、システム設定値テーブル３２０の最低経過時間のフィールドに格納されている時間を越えている場合（図２０のＳ０４でＹＥＳ）、図２０のＳ０５に進む。
【０１２１】
そして、図２０のＳ０５において、管理装置３の制御部３１２は、最小消費電力テーブル３２６の各フィールドに、状態管理テーブル３２５の対応する各フィールドにおける今回値の欄に格納されている情報を格納する。すなわち、管理装置３の制御部３１２は、状態管理テーブル３２５の開始時刻のフィールドにおける今回値の欄に格納されている時刻を、最小消費電力テーブル３２６の開始時刻のフィールドに格納する。管理装置３の制御部３１２は、状態管理テーブル３２５の終了時刻のフィールドにおける今回値の欄に格納されている時刻を、最小消費電力テーブル３２６の終了時刻のフィールドに格納する。管理装置３の制御部３１２は、状態管理テーブル３２５の経過時間のフィールドにおける今回値の欄に格納されている時刻を、最小消費電力テーブル３２６の開始時刻のフィールドに格納する。管理装置３の制御部３１２は、状態管理テーブル３２５の消費電力のフィールドにおける今回値の欄に格納されている消費電力値を、最小消費電力テーブル３２６の消費電力のフィールドに格納する。電気機器２の消費電力値が変化しない状態を継続し、継続した時間が、最低経過時間を越えれば、電気機器２の二次電池の充電が完了したと判断できる。したがって、本システムでは、電気機器２の消費電力値が変化しない状態が一定時間継続した場合のその消費電力値を、最小消費電力テーブル３２６に格納している。図２０のＳ０５の処理が終了すると、最小消費電力テーブル処理（図１６のＳ０４、図２０）が終了する。
【０１２２】
〈二次電池品質管理処理〉
図１４のＳ０１１で行われる二次電池品質管理処理について、図２１を参照して詳述する。二次電池品質管理処理では、まず、消費電力収集処理を行う（図２１のＳ０１）。消費電力収集処理を行った後、状態フラグテーブル処理を行う（図２１のＳ０２）。状態フラグテーブル処理を行った後、状態管理テーブル処理を行う（図２１のＳ０３）。状態管理テーブル処理が行われると、二次電池品質管理処理が終了する。消費電力収集処理（図２１のＳ０１）は、図１７の消費電力収集処理と同様であり、状態フラグテーブル処理（図８のＳ０２）は、図１８の状態フラグテーブル処理と同様であり、状態管理テーブル処理（図８のＳ０３）は、図１９の状態管理テーブル処理と同様である。
【０１２３】
実施例１によれば、管理装置３は、電気機器２の消費電力が一定になる状態を検知し、更に、電気機器２の消費電力が一定になる状態が継続しているかを検知する。そして、管理装置３は、電気機器２の消費電力が一定になる状態の消費電力値と、最小消費電力値とを比較することにより、電気機器２が有する二次電池が劣化しているか否かを判定する。電気機器２の消費電力が一定になる状態が継続している場合、電気機器２が有する二次電池の充電が完了したとみなすことができる。上述したように、最小消費電力値は、二次電池が経年劣化していない場合における電気機器２の満充電消費電力値である。
【０１２４】
管理装置３は、電気機器２の満充電消費電力値と、最小消費電力値とを比較し、電気機器２の満充電消費電力値が、最小消費電力値と略等しい状態を一定期間継続する場合には、電気機器２が有する二次電池は劣化していないと判定する。一方、管理装置３は、電気機器２の満充電消費電力値と、最小消費電力値とを比較し、電気機器２の満充電消費電力値と、最小消費電力値とが異なる場合には、電気機器２が有する二次電池は劣化していると判定する。実施例１によれば、電気機器２や電気機器２が有する二次電池に対して変更を加えることなく、電気機器２が有する二次電池の劣化を検出することできる。
【０１２５】
実施例１によれば、管理装置３は、電気機器２の消費電力値を、一定時間（例えば、１
０分）毎に収集し、消費電力値の今回値と前回値とを用いて、一定時間毎に電気機器２の二次電池の劣化を検出している。ただし、管理装置３は、収集した消費電力値を所定量蓄積し、一括処理を行うことにより、電気機器２の二次電池の劣化を検出するようにしてもよい。
【実施例２】
【０１２６】
実施例１では、管理装置３が、電気機器２の消費電力値を収集するとともに、電気機器２の二次電池の劣化を検出する例を示した。実施例２では、電源接続機器１Ａが、電気機器２の消費電力値を収集するとともに、電気機器２の二次電池の劣化を検出する例を説明する。
【０１２７】
＜ハードウェアの構成＞
図２２は、実施例２に係る電源接続機器１Ａの外観図の例である。電源接続機器１Ａとして、例えば、スマート電源タップを例示できる。ただし、電源接続機器１Ａがスマート電源タップに限定されるわけではなく、コンセントＣ１ごとに供給される電流、あるいは、電力が検出可能なものであれば、どのようなものでもよい。
【０１２８】
図２２のように、電源接続機器１Ａは、外観上、筐体と、筐体の一方の面に配列された複数のコンセントＣ１と、筐体外部の商用電源を筐体内の各コンセントＣ１に接続する電源ケーブルＡＣ１とを有している。また、電源接続機器１Ａは、表示器１０１及びリセットボタン１０２を有している。
【０１２９】
コンセントＣ１は、例えば、電気機器２に接続されている電源ケーブルのプラグを挿入する１対のプラグ挿入口と、プラグのアース端子を受け入れるアース端子口とを有する。筐体内には、電力ケーブルＡＣ１から分岐し、各コンセントＣ１に供給する導電路と、分岐したそれぞれの導電路に接続される電極を有する。電極は、それぞれのプラグ挿入口内に埋め込まれており、電源ケーブルのプラグがコンセントＣ１に挿入されたときにプラグのコンタクトに接触し、通電可能となる。
【０１３０】
図２３は、電源接続機器１Ａのハードウェアの構成を例示する図である。すなわち、図２３では、電気機器２に電力を供給する導電路は除外し、電源接続機器１Ａの電流センサＣＳ１で検出される検出値を処理するシステムのハードウェア構成が例示されている。
【０１３１】
電源接続機器１Ａ内の処理部１１０は、ＣＰＵ１１１、メモリ１１２及びＡＤ（Analog/Digital）変換部１１３を有する。このうち、ＡＤ変換部１１３は、電流センサＣＳ１の検出値をアナログ信号からデジタル信号に変換し、ＣＰＵ１１１に引き渡す。
【０１３２】
ＣＰＵ１１１は、プログラムを実行し、処理部１１０の機能を提供する。すなわち、ＣＰＵ１１１は、それぞれの電流センサＣＳ１での検出値を読みとる。ＣＰＵ１１１は、電流センサＣＳ１での検出値を電力値に換算する。メモリ１１２は、主記憶装置とも呼ばれ、ＣＰＵ１１１が処理するデータを保持する。また、メモリ１１２は、各電流センサＣＳ１の検出値等、各検出値から算出した電力値、その他の管理データ等を記憶する。
【０１３３】
電源接続機器１Ａ内のタイマ１１４は、現在の時刻を管理し、所定時刻からの経過時間を測定する。電源接続機器１に設けられた表示器１０１は、コンセントＣ１に接続された電源機器２が有する二次電池が劣化していた場合、その旨の表示を行う。例えば、表示器１０１は、液晶ディスプレイ、エレクトロルミネッセンスパネル等であってもよい。表示器１０１は、電源機器２が有する二次電池が劣化している旨のメッセージを表示してもよい。また、表示器１０１は、電源機器２が有する二次電池が劣化していない場合、青色に発光し、電源機器２が有する二次電池が劣化している場合、赤色に発光するようにしても
よい。
【０１３４】
電源接続機器１に設けられたリセットボタン１０２は、ユーザがユーザ登録を行う場合に押下される。リセットボタン１０２が押下されることで、電源接続機器１Ａ内のメモリ１１２における各種テーブルに格納された情報をクリアするようにしてもよい。
【０１３５】
電源接続機器１Ａ内の処理部１１０は、実施例１で説明した電力収集部３１１及び制御部３１２の機能と同様の機能を有し、実施例１で説明した消費電力値の収集処理及び二次電池の劣化検出処理の機能を提供する。すなわち、処理部１１０は、例えば、電気機器２の消費電力値を収集し、メモリ１１２に記憶されている各種のテーブルに、収集した消費電力値を収集時刻とともに格納する。また、処理部１１０は、例えば、電気機器２が有する二次電池の劣化状態を判定する等の各種の判定処理や決定処理を行う。処理部１１０の機能は、ＣＰＵ１１１がメモリ１１２上に実行可能に展開されたコンピュータプログラムを実行することで提供される。
【０１３６】
実施例２によれば、電源接続機器１Ａが、電気機器２の消費電力値を、一定時間（例えば、１０分）毎に収集し、消費電力値の今回値と前回値とを用いて、一定時間毎に電気機器２の二次電池の劣化を検出することができる。そのため、電源接続機器１Ａに大容量の記憶装置を設けることなく、電気機器２の二次電池の劣化を検出することができる。
【０１３７】
＜その他＞
以上の実施形態は、さらに以下の付記と呼ぶ態様を含む。以下の各付記に含まれる構成要素は、他の付記に含まれる構成と組み合わせることができる。
【０１３８】
（付記１）
プラグ接続部、
前記プラグ接続部に供給される電流または電力を検出するセンサ、および、
前記センサが検出した検出値を出力する出力部、を有する電源接続機器と、
前記検出値を前記電源接続機器から取得する取得部、および
前記プラグ接続部に接続された電気機器の二次電池の劣化判定情報を記憶する記憶部、
前記電源接続機器から取得した検出値と前記劣化判定情報との比較結果に基づいて、前記プラグ接続部に接続された前記電気機器の前記二次電池の劣化状態を判定する判定部、を有する情報処理装置と、を備える二次電池劣化検出システム。
【０１３９】
（付記２）
前記劣化判定情報は、劣化が発生していない状態における前記二次電池が満充電の場合において前記プラグ接続部に供給される電流又は電力の値である、付記１に記載の二次電池劣化検出システム。
【０１４０】
（付記３）
前記情報処理装置の前記判定部は、前記電源接続機器から取得した検出値と、劣化が発生していない状態における前記二次電池が満充電の場合において前記プラグ接続部に供給される電流又は電力の値との差分値を算出し、前記差分値が所定範囲に含まれない場合、前記プラグ接続部に接続された前記電気機器の二次電池が劣化していると判定する、付記１又は２に記載の二次電池劣化検出システム。
【０１４１】
（付記４）
前記電源接続機器は、複数の前記プラグ接続部及び複数の前記センサを有し、
前記電源接続機器の前記出力部は、複数の前記プラグ接続部が検出した検出値を複数の前記プラグ接続部にそれぞれ対応付けて出力し、
前記情報処理装置の前記取得部は、複数の前記プラグ接続部にそれぞれ対応付けた検出値を前記電源接続機器から取得し、
前記情報処理装置の前記判定部は、前記電源接続機器から取得した複数の検出値と前記劣化判定情報との比較結果に基づいて、前記プラグ接続部のそれぞれに接続された前記電気機器の二次電池の劣化状態を判定する、付記１から３の何れか一項に記載の二次電池劣化検出システム。
【０１４２】
（付記５）
プラグ接続部と、
前記プラグ接続部に供給される電流または電力を検出するセンサと、
前記プラグ接続部に接続された電気機器の二次電池の劣化判定情報を記憶する記憶部と、
前記センサが検出した検出値と前記劣化判定情報との比較結果に基づいて、前記プラグ接続部に接続された前記電気機器の前記二次電池の劣化を判定する判定部と、を備える電源接続機器。
【０１４３】
（付記６）
前記劣化判定情報は、劣化が発生していない状態における前記二次電池が満充電の場合において前記プラグ接続部に供給される電流又は電力の値である、付記５に記載の電源接続機器。
【０１４４】
（付記７）
前記判定部は、前記電源接続機器から取得した検出値と、劣化が発生していない状態における前記二次電池が満充電の場合において前記プラグ接続部に供給される電流又は電力の値との差分値を算出し、前記差分値が所定範囲に含まれない場合、前記プラグ接続部に接続された前記電気機器の二次電池が劣化していると判定する、付記５又は６に記載の電源接続機器。
【０１４５】
（付記８）
複数の前記プラグ接続部及び複数の前記センサを備え、
前記判定部は、前記電源接続機器から取得した複数の検出値と前記劣化判定情報との比較結果に基づいて、前記プラグ接続部のそれぞれに接続された前記電気機器の二次電池の劣化状態を判定する、付記５から７の何れか一項に記載の電源接続機器。
【０１４６】
（付記９）
プラグ接続部に供給される電流または電力を検出するセンサ、および、前記センサが検出した検出値を出力する出力部、を有する電源接続機器から、前記検出値を取得する取得部と、
前記電源接続機器から取得した検出値と、前記プラグ接続部に接続された電気機器の二次電池の劣化判定情報との比較結果に基づいて、前記プラグ接続部に接続された前記電気機器の前記二次電池の劣化状態を判定する判定部と、
を備える情報処理装置。
【０１４７】
（付記１０）
前記劣化判定情報は、劣化が発生していない状態における前記二次電池が満充電の場合において前記プラグ接続部に供給される電流又は電力の値である、付記９に記載の情報処理装置。
【０１４８】
（付記１１）
前記判定部は、前記電源接続機器から取得した検出値と、劣化が発生していない状態に
おける前記二次電池が満充電の場合において前記プラグ接続部に供給される電流又は電力の値との差分値を算出し、前記差分値が所定範囲に含まれない場合、前記プラグ接続部に接続された前記電気機器の二次電池が劣化していると判定する、付記９又は１０に記載の情報処理装置。
【０１４９】
（付記１２）
前記電源接続機器は、複数の前記プラグ接続部及び複数の前記センサを有し、
前記電源接続機器の前記出力部は、複数の前記プラグ接続部が検出した検出値を複数の前記プラグ接続部にそれぞれ対応付けて出力し、
前記取得部は、複数の前記プラグ接続部にそれぞれ対応付けた検出値を前記電源接続機器から取得し、
前記判定部は、前記電源接続機器から取得した複数の検出値と前記劣化判定情報との比較結果に基づいて、前記プラグ接続部のそれぞれに接続された前記電気機器の二次電池の劣化状態を判定する、付記９から１１の何れか一項に記載の情報処理装置。
【０１５０】
（付記１３）
コンピュータが、
プラグ接続部に供給される電流または電力を検出するセンサ、および、前記センサが検出した検出値を出力する出力部、を有する電源接続機器から、前記検出値を取得する取得ステップと、
前記電源接続機器から取得した検出値と、前記プラグ接続部に接続された電気機器の二次電池の劣化判定情報との比較結果に基づいて、前記プラグ接続部に接続された前記電気機器の前記二次電池の劣化状態を判定する判定ステップと、
を実行する二次電池劣化検出方法。
【０１５１】
（付記１４）
前記劣化判定情報は、劣化が発生していない状態における前記二次電池が満充電の場合において前記プラグ接続部に供給される電流又は電力の値である、付記１３に記載の二次電池劣化検出方法。
【０１５２】
（付記１５）
前記判定ステップは、前記電源接続機器から取得した検出値と、劣化が発生していない状態における前記二次電池が満充電の場合において前記プラグ接続部に供給される電流又は電力の値との差分値を算出し、前記差分値が所定範囲に含まれない場合、前記プラグ接続部に接続された前記電気機器の二次電池が劣化していると判定する、付記１３又は１４に記載の二次電池劣化検出方法。
【０１５３】
（付記１６）
前記電源接続機器は、複数の前記プラグ接続部及び複数の前記センサを有し、
前記出力部は、複数の前記プラグ接続部が検出した検出値を複数の前記プラグ接続部にそれぞれ対応付けて出力し、
前記取得ステップは、複数の前記プラグ接続部にそれぞれ対応付けた検出値を前記電源接続機器から取得し、
前記判定ステップは、前記電源接続機器から取得した複数の検出値と前記劣化判定情報との比較結果に基づいて、前記プラグ接続部のそれぞれに接続された前記電気機器の二次電池の劣化状態を判定する、付記１３から１５の何れか一項に記載の二次電池劣化検出方法。
【０１５４】
（付記１７）
コンピュータに、
プラグ接続部に供給される電流または電力を検出するセンサ、および、前記センサが検出した検出値を出力する出力部、を有する電源接続機器から、前記検出値を取得する取得ステップと、
前記電源接続機器から取得した検出値と、前記プラグ接続部に接続された電気機器の二次電池の劣化判定情報との比較結果に基づいて、前記プラグ接続部に接続された前記電気機器の前記二次電池の劣化状態を判定する判定ステップと、
を実行させるための二次電池劣化検出プログラム。
【０１５５】
（付記１８）
前記劣化判定情報は、劣化が発生していない状態における前記二次電池が満充電の場合において前記プラグ接続部に供給される電流又は電力の値である、付記１７に記載の二次電池劣化検出プログラム。
【０１５６】
（付記１９）
前記判定部ステップは、前記電源接続機器から取得した検出値と、劣化が発生していない状態における前記二次電池が満充電の場合において前記プラグ接続部に供給される電流又は電力の値との差分値を算出し、前記差分値が所定範囲に含まれない場合、前記プラグ接続部に接続された前記電気機器の二次電池が劣化していると判定する、付記１７又は１８に記載の二次電池劣化検出プログラム。
【０１５７】
（付記２０）
前記電源接続機器は、複数の前記プラグ接続部及び複数の前記センサを有し、
前記出力部は、複数の前記プラグ接続部が検出した検出値を複数の前記プラグ接続部にそれぞれ対応付けて出力し、
前記取得ステップは、複数の前記プラグ接続部にそれぞれ対応付けた検出値を前記電源接続機器から取得し、
前記判定ステップは、前記電源接続機器から取得した複数の検出値と前記劣化判定情報との比較結果に基づいて、前記プラグ接続部のそれぞれに接続された前記電気機器の二次電池の劣化状態を判定する、付記１７から１９の何れか一項に記載の二次電池劣化検出プログラム。
【０１５８】
《コンピュータが読み取り可能な記録媒体》
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【０１５９】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ（リードオンリーメモリ）等がある。
【符号の説明】
【０１６０】
１    電源接続機器
２Ａ、２Ｂ、２Ｃ    電気機器
３    管理装置
４    ネットワーク
５    管理者端末
６    ユーザ端末
１０  通信制御部
１１  ＡＤ（Analog/Digital）変換部
３１１  電力収集部
３１２  制御部
３１３  通信部
３２０  システム設定値テーブル
３２１  ユーザ情報テーブル
３２２  開始時刻テーブル
３２３  消費電力テーブル
３２４  状態フラグテーブル
３２５  状態管理テーブル
３２６  最小消費電力テーブル
【図１】
0005620302.tif 000002
【図２】
0005620302.tif 000003
【図３】
0005620302.tif 000004
【図４】
0005620302.tif 000005
【図５】
0005620302.tif 000006
【図６】
0005620302.tif 000007
【図７】
0005620302.tif 000008
【図８】
0005620302.tif 000009
【図９】
0005620302.tif 000010
【図１０】
0005620302.tif 000011
【図１１】
0005620302.tif 000012
【図１２】
0005620302.tif 000013
【図１３】
0005620302.tif 000014
【図１４】
0005620302.tif 000015
【図１５】
0005620302.tif 000016
【図１６】
0005620302.tif 000017
【図１７】
0005620302.tif 000018
【図１８】
0005620302.tif 000019
【図１９】
0005620302.tif 000020
【図２０】
0005620302.tif 000021
【図２１】
0005620302.tif 000022
【図２２】
0005620302.tif 000023
【図２３】
0005620302.tif 000024